(57)【要約】【課題】電力の遮断に関する詳細な注意事項を報知することが可能なプロジェクターを提供する。【解決手段】プロジェクター１は、光源１１が点灯しているときに冷却部（冷却ファン２４）に冷却を行わせる第１冷却状態と、光源１１が消灯した後に冷却部に冷却を暫時継続させる第２冷却状態とを切り替える冷却制御部２３と、前回の動作時に第１冷却状態において外部電源からの電力が遮断されたか否かを判断する第１の判断部（制御部２０）と、前回の動作時に第２冷却状態において外部電源からの電力が遮断されたか否かを判断する第２の判断部（制御部２０）と、第１の判断部により、外部電源からの電力が遮断されたと判断された場合に、画像投写部１０に第１の警告画面を投写させ、第２の判断部により、外部電源からの電力が遮断されたと判断された場合に、画像投写部１０に第２の警告画面を投写させる警告投写制御部（制御部２０）と、を備える。【選択図】図３
2012042846.tif 000002
【特許請求の範囲】
【請求項１】
光源から射出された光を変調して投写する画像投写部と、前記画像投写部が収容される筐体と、前記筐体の内部を冷却する冷却部と、を有するプロジェクターであって、
前記光源が点灯しているときに前記冷却部に冷却を行わせる第１冷却状態と、前記光源が消灯した後に前記冷却部に前記冷却を暫時継続させる第２冷却状態とを切り替える冷却制御部と、
前回の動作時に前記第１冷却状態において外部電源からの電力が遮断されたか否かを判断する第１の判断部と、
前回の動作時に前記第２冷却状態において前記外部電源からの電力が遮断されたか否かを判断する第２の判断部と、
前記第１の判断部により、前回の動作時に前記外部電源からの電力が遮断されたと判断された場合に、前記画像投写部に第１の警告画面を投写させ、前記第２の判断部により、前回の動作時に前記外部電源からの電力が遮断されたと判断された場合に、前記画像投写部に第２の警告画面を投写させる警告投写制御部と、
を備えることを特徴とするプロジェクター。
【請求項２】
請求項１に記載のプロジェクターであって、
前記光源の点灯または消灯を指示するための操作を受け付ける操作受付部をさらに備え、
前記第１の判断部、および前記第２の判断部は、前記操作受付部が前記光源を点灯するための操作を受け付けた際に判断を行い、
前記警告投写制御部は、前記第１の判断部、および前記第２の判断部による判断結果に基づいて、前記画像投写部に前記第１の警告画面または前記第２の警告画面を投写させることを特徴とするプロジェクター。
【請求項３】
請求項１または２に記載のプロジェクターであって、
前記光源の点灯または消灯を指示するための操作を受け付ける操作受付部をさらに備え、
前記第２の判断部は、前記操作受付部が前記光源を消灯するための操作を受け付けた際に判断を行い、
前記警告投写制御部は、前回の前記第２冷却状態において前記外部電源からの電力が遮断されたと判断された場合に、前記画像投写部に第３の警告画面を投写させることを特徴とするプロジェクター。
【請求項４】
請求項３に記載のプロジェクターであって、
前記第３の警告画面には、前記第２冷却状態の期間は前記外部電源からの電力を遮断しないようにユーザーに促す表示を含むことを特徴とするプロジェクター。
【請求項５】
請求項１乃至４のいずれか一項に記載のプロジェクターであって、
前記第１冷却状態の開始時に加算され、前記第１冷却状態の終了時に減算される第１カウンターと、
前記第２冷却状態の開始時に加算され、前記第２冷却状態の終了時に減算される第２カウンターと、
を有し、
前記第１の判断部は、前記第１カウンターの値に基づいて前記第１冷却状態において前記外部電源からの電力が遮断されたか否かを判断し、
前記第２の判断部は、前記第２カウンターの値に基づいて前記第２冷却状態において前記外部電源からの電力が遮断されたか否かを判断することを特徴とするプロジェクター。
【請求項６】
請求項１乃至４のいずれか一項に記載のプロジェクターであって、
前記第１冷却状態の開始時にセットされ、前記第１冷却状態の終了時にクリアされる第１フラグが設定される第１フラグ設定部と、
前記第２冷却状態の開始時にセットされ、前記第２冷却状態の終了時にクリアされる第２フラグが設定される第２フラグ設定部と、
を有し、
前記第１の判断部は、前記第１フラグの値に基づいて前記第１冷却状態において前記外部電源からの電力が遮断されたか否かを判断し、
前記第２の判断部は、前記第２フラグの値に基づいて前記第２冷却状態において前記外部電源からの電力が遮断されたか否かを判断することを特徴とするプロジェクター。
【請求項７】
請求項６に記載のプロジェクターであって、
前記第１フラグがクリアされなかった場合に加算される第３カウンターと、
前記第２フラグがクリアされなかった場合に加算される第４カウンターと、
をさらに有し、
前記第１の判断部は、前記第３カウンターの値によって前記第１冷却状態において前記外部電源からの電力が遮断された回数を計数し、
前記第２の判断部は、前記第４カウンターの値によって前記第２冷却状態において前記外部電源からの電力が遮断された回数を計数することを特徴とするプロジェクター。
【請求項８】
光源から射出された光を変調して投写する画像投写部と、前記画像投写部が収容される筐体と、前記筐体の内部を冷却する冷却部と、を有するプロジェクターの制御方法であって、
前記光源が点灯しているときに前記冷却部に冷却を行わせる第１冷却状態と、前記光源が消灯した後に前記冷却部に前記冷却を暫時継続させる第２冷却状態とを切り替える冷却制御ステップと、
前回の動作時に前記第１冷却状態において外部電源からの電力が遮断されたか否かを判断する第１の判断ステップと、
前回の動作時に前記第２冷却状態において前記外部電源からの電力が遮断されたか否かを判断する第２の判断ステップと、
前記第１の判断ステップにより、前回の動作時に前記外部電源からの電力が遮断されたと判断された場合に、前記画像投写部に第１の警告画面を投写させ、前記第２の判断ステップにより、前回の動作時に前記外部電源からの電力が遮断されたと判断された場合に、前記画像投写部に第２の警告画面を投写させる警告投写制御ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、光源から射出された光を変調して画像光を形成し、この画像光をスクリーン等に投写するプロジェクターの多くは、光源の点灯等に伴って高温となる筐体の内部を冷却するための冷却装置（冷却ファン等）を備えている。この冷却装置は、光源を消灯させた後もしばらくの間冷却を継続するようになっており、高温のまま放置された場合に生じ得る各種構成部品の劣化を抑制している。なお、光源が消灯した後の冷却は、「クールダウン」等と呼ばれる。
【０００３】
しかし、このようなプロジェクターの使用方法を熟知していないユーザーは、クールダウンが終了する前に商用電源からの電力を遮断してしまう場合があった。そこで、ランプ（光源）が点灯された回数と、ランプが消灯された後の冷却が正常に終了した回数とを計数し、その差を算出して、所定値に達した場合に、警告画像を表示するプロジェクターが開示されている（特許文献１）。
【先行技術文献】
【特許文献】
【０００４】
【特許文献１】特開２００６−１０６６３９号公報
【発明の概要】
【発明が解決しようとする課題】
【０００５】
しかしながら、特許文献１に記載のプロジェクターでは、ランプ点灯中に電力が遮断されたのか、ランプ消灯後のクールダウン中に電力が遮断されたのかについて、判断することができなかった。このため、ユーザーに対して、電力の遮断に関する詳細な注意事項を報知することができないという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を変調して投写する画像投写部と、前記画像投写部が収容される筐体と、前記筐体の内部を冷却する冷却部と、を有するプロジェクターであって、前記光源が点灯しているときに前記冷却部に冷却を行わせる第１冷却状態と、前記光源が消灯した後に前記冷却部に前記冷却を暫時継続させる第２冷却状態とを切り替える冷却制御部と、前回の動作時に前記第１冷却状態において外部電源からの電力が遮断されたか否かを判断する第１の判断部と、前回の動作時に前記第２冷却状態において前記外部電源からの電力が遮断されたか否かを判断する第２の判断部と、前記第１の判断部により、前回の動作時に前記外部電源からの電力が遮断されたと判断された場合に、前記画像投写部に第１の警告画面を投写させ、前記第２の判断部により、前回の動作時に前記外部電源からの電力が遮断されたと判断された場合に、前記画像投写部に第２の警告画面を投写させる警告投写制御部と、を備えることを特徴とする。
【０００８】
このようなプロジェクターによれば、冷却制御部は、光源が点灯しているときに冷却部に冷却を行わせる第１冷却状態と、光源が消灯した後に冷却を暫時継続させる第２冷却状態とを切り替える。第１の判断部は、前回の動作時に第１冷却状態において外部電源からの電力が遮断されたか否かを判断する。第２の判断部は、前回の動作時に第２冷却状態において外部電源からの電力が遮断されたか否かを判断する。警告投写制御部は、第１の判断部により前回の動作時に電力が遮断されたと判断された場合に、第１の警告画面を投写させ、第２の判断部により前回の動作時に電力が遮断されたと判断された場合に、第２の警告画面を投写させる。これにより、第１冷却状態（即ち光源が点灯している状態）において外部電源からの電力が遮断されたのか、第２冷却状態（即ちクールダウンしている状態）において外部電源からの電力が遮断されたのかを判断することが可能になる。そして、プロジェクターは、それぞれに対応した警告画面の投写を行うことができる。
【０００９】
［適用例２］上記適用例に係るプロジェクターにおいて、前記光源の点灯または消灯を指示するための操作を受け付ける操作受付部をさらに備え、前記第１の判断部、および前記第２の判断部は、前記操作受付部が前記光源を点灯するための操作を受け付けた際に判断を行い、前記警告投写制御部は、前記第１の判断部、および前記第２の判断部による判断結果に基づいて、前記画像投写部に前記第１の警告画面または前記第２の警告画面を投写させることを特徴とする。
【００１０】
このようなプロジェクターによれば、光源を点灯するための操作を受け付けた際に、第１の判断部による判断、および第２の判断部による判断を行い、警告投写制御部は、判断結果に基づいて第１の警告画面または第２の警告画面を投写させる。つまり、ユーザーが光源を点灯するための操作を行うと、前回、第１冷却状態において外部電源からの電力が遮断されていれば、プロジェクターは第１の警告画面の投写を行い、第２冷却状態において外部電源からの電力が遮断されていれば、プロジェクターは第２の警告画面の投写を行う。これにより、ユーザーは、光源の点灯時に、前回、外部電源からの電力の遮断が行われたか否かを認識することができる。
【００１１】
［適用例３］上記適用例に係るプロジェクターにおいて、前記光源の点灯または消灯を指示するための操作を受け付ける操作受付部をさらに備え、前記第２の判断部は、前記操作受付部が前記光源を消灯するための操作を受け付けた際に判断を行い、前記警告投写制御部は、前回の前記第２冷却状態において前記外部電源からの電力が遮断されたと判断された場合に、前記画像投写部に第３の警告画面を投写させることを特徴とする。
【００１２】
このようなプロジェクターによれば、光源を消灯するための操作を受け付けた際に、第２の判断部による判断を行い、警告投写制御部は、判断結果に基づいて第３の警告画面を投写させる。つまり、ユーザーが光源を消灯するための操作を行うと、前回、第２冷却状態において外部電源からの電力が遮断されていれば、プロジェクターは第３の警告画面の投写を行う。これにより、ユーザーは、光源の消灯時に、前回、第２冷却状態において外部電源からの電力の遮断が行われたか否かを認識することができる。
【００１３】
［適用例４］上記適用例に係るプロジェクターにおいて、前記第３の警告画面には、前記第２冷却状態の期間は前記外部電源からの電力を遮断しないようにユーザーに促す表示を含むことを特徴とする。
【００１４】
このようなプロジェクターによれば、第３の警告画面には、第２冷却状態の期間は外部電源からの電力を遮断しないようにユーザーに促す表示を含む。これにより、ユーザーは、第２冷却状態の期間は電力の遮断を行うべきではないことを認識することができる。
【００１５】
［適用例５］上記適用例に係るプロジェクターにおいて、前記第１冷却状態の開始時に加算され、前記第１冷却状態の終了時に減算される第１カウンターと、前記第２冷却状態の開始時に加算され、前記第２冷却状態の終了時に減算される第２カウンターと、を有し、前記第１の判断部は、前記第１カウンターの値に基づいて前記第１冷却状態において前記外部電源からの電力が遮断されたか否かを判断し、前記第２の判断部は、前記第２カウンターの値に基づいて前記第２冷却状態において前記外部電源からの電力が遮断されたか否かを判断することを特徴とする。
【００１６】
このようなプロジェクターによれば、第１カウンターと第２カウンターとを有する。そして、第１の判断部は、第１カウンターの値に基づいて第１冷却状態において電力が遮断されたか否かを判断し、第２の判断部は、第２カウンターの値に基づいて第２冷却状態において電力が遮断されたか否かを判断する。これにより、プロジェクターは、第１カウンターによって、第１冷却状態において外部電源からの電力が遮断されたか否かを判断することができるとともに、遮断された回数を計数することができる。また、プロジェクターは、第２カウンターによって、第２冷却状態において外部電源からの電力が遮断されたか否かを判断することができるとともに、遮断された回数を計数することができる。
【００１７】
［適用例６］上記適用例に係るプロジェクターにおいて、前記第１冷却状態の開始時にセットされ、前記第１冷却状態の終了時にクリアされる第１フラグが設定される第１フラグ設定部と、前記第２冷却状態の開始時にセットされ、前記第２冷却状態の終了時にクリアされる第２フラグが設定される第２フラグ設定部と、を有し、前記第１の判断部は、前記第１フラグの値に基づいて前記第１冷却状態において前記外部電源からの電力が遮断されたか否かを判断し、前記第２の判断部は、前記第２フラグの値に基づいて前記第２冷却状態において前記外部電源からの電力が遮断されたか否かを判断することを特徴とする。
【００１８】
このようなプロジェクターによれば、第１フラグは、第１冷却状態の開始時にセットされ、終了時にクリアされる。第２フラグは、第２冷却状態の開始時にセットされ、終了時にクリアされる。これにより、第１の判断部は、第１フラグの値に基づいて第１冷却状態において電力が遮断されたか否かを判断し、第２の判断部は、第２フラグの値に基づいて第２冷却状態において電力が遮断されたか否かを判断することができる。
【００１９】
［適用例７］上記適用例に係るプロジェクターにおいて、前記第１フラグがクリアされなかった場合に加算される第３カウンターと、前記第２フラグがクリアされなかった場合に加算される第４カウンターと、をさらに有し、前記第１の判断部は、前記第３カウンターの値によって前記第１冷却状態において前記外部電源からの電力が遮断された回数を計数し、前記第２の判断部は、前記第４カウンターの値によって前記第２冷却状態において前記外部電源からの電力が遮断された回数を計数することを特徴とする。
【００２０】
このようなプロジェクターによれば、第３カウンターは、第１フラグがクリアされなかった場合に加算される。第４カウンターは、第２フラグがクリアされなかった場合に加算される。これにより、第１の判断部は、第３カウンターの値によって第１冷却状態において電力が遮断された回数を計数し、第２の判断部は、第４カウンターの値によって第２冷却状態において電力が遮断された回数を計数することができる。
【００２１】
［適用例８］本適用例に係るプロジェクターの制御方法は、光源から射出された光を変調して投写する画像投写部と、前記画像投写部が収容される筐体と、前記筐体の内部を冷却する冷却部と、を有するプロジェクターの制御方法であって、前記光源が点灯しているときに前記冷却部に冷却を行わせる第１冷却状態と、前記光源が消灯した後に前記冷却部に前記冷却を暫時継続させる第２冷却状態とを切り替える冷却制御ステップと、前回の動作時に前記第１冷却状態において外部電源からの電力が遮断されたか否かを判断する第１の判断ステップと、前回の動作時に前記第２冷却状態において前記外部電源からの電力が遮断されたか否かを判断する第２の判断ステップと、前記第１の判断ステップにより、前回の動作時に前記外部電源からの電力が遮断されたと判断された場合に、前記画像投写部に第１の警告画面を投写させ、前記第２の判断ステップにより、前回の動作時に前記外部電源からの電力が遮断されたと判断された場合に、前記画像投写部に第２の警告画面を投写させる警告投写制御ステップと、を備えることを特徴とする。
【００２２】
このようなプロジェクターの制御方法によれば、第１冷却状態において外部電源からの電力が遮断されたのか、第２冷却状態において外部電源からの電力が遮断されたのかを判断することが可能になる。そして、プロジェクターは、それぞれに対応した警告画面の投写を行うことができる。
【００２３】
また、上述したプロジェクターおよびその制御方法がプロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００２４】
【図１】第１の実施形態のプロジェクターを示す斜視図であり、前面、上面、および右側面を示す図。
【図２】プロジェクターを示す斜視図であり、背面、底面、および右側面を示す図。
【図３】プロジェクターの回路構成を示すブロック図。
【図４】プロジェクターが電源オン状態に移行する際の処理のフローチャート。
【図５】第１の警告画面および第２の警告画面の説明図であり、（ａ）は、第１の警告画面の説明図、（ｂ）は、第２の警告画面の説明図。
【図６】プロジェクターの電源オフ操作がなされた際の処理のフローチャート。
【図７】第３の警告画面の説明図。
【図８】電源遮断回数表示画面の説明図。
【図９】第２の実施形態に係るプロジェクターの回路構成を示すブロック図。
【図１０】プロジェクターが電源オン状態に移行する際の処理のフローチャート。
【図１１】プロジェクターの電源オフ操作がなされた際の処理のフローチャート。
【発明を実施するための形態】
【００２５】
以下、実施形態について説明する。
【００２６】
（第１の実施形態）
第１の実施形態では、商用電源（外部電源）からの電力が遮断されたことを、第１カウンターと第２カウンターを用いて判断するプロジェクターについて説明する。
【００２７】
図１および図２は、第１の実施形態のプロジェクターを示す斜視図であり、図１は、前面、上面、および右側面を示す図、図２は、背面、底面、および右側面を示す図である。
図１および図２に示すように、プロジェクター１は、装置本体が筐体２に収容された構成を有しており、筐体２の前面２ｆには、画像を投写する投写レンズ１３が露出している。筐体２の上面２ｔには、ユーザーがプロジェクター１に対して各種指示を行うための操作受付部２１が備えられている。筐体２の背面２ｒには、商用電源からの電力が供給される電源端子２７と、図示しない外部の画像供給装置から画像情報が入力される画像情報入力部３１とが設けられている。画像情報入力部３１には、複数の入力端子３１ａが配置されており、各入力端子３１ａには、一端が画像供給装置に接続されたケーブルの他端が接続される。
【００２８】
プロジェクター１は、筐体２の内部に冷却ファン２４（図３参照）を備えており、光源の点灯等に伴って高温となる筐体２の内部を冷却することができる。筐体２の底面２ｂには、外部から空気を吸入するための吸気口３ａが形成されており、冷却ファン２４の回転によって吸気口３ａから吸入された空気は、筐体２の内部を冷却した後、筐体２の右側面２ｓに形成された排気口３ｂから排出される。
【００２９】
図３は、プロジェクターの回路構成を示すブロック図である。
図３に示すように、プロジェクター１は、画像投写部１０、制御部２０、操作受付部２１、温度センサー２２、冷却制御部２３、冷却ファン２４、光源制御部２５、電源回路２６、電源端子２７、画像情報入力部３１、画像処理部３２、ＯＳＤ処理部３３等を備えて構成されており、これらは、筐体２（図１および図２参照）の内部に収容されている。
【００３０】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、光源１１から射出された光を、液晶ライトバルブ１２Ｒ，１２Ｇ，１２Ｂで変調して画像光を形成し、この画像光を投写レンズ１３から投写して投写面ＳＣに表示する。
【００３１】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から投写される。
【００３３】
制御部２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
【００３４】
また、制御部２０は、書き込み可能な不揮発性のメモリーに記憶される第１カウンター２０ａと、第１カウンター前回値記憶部２０ｂと、第２カウンター２０ｃと、第２カウンター前回値記憶部２０ｄとを備えている。第１カウンター２０ａは、光源１１が点灯している状態、即ち筐体２内部の冷却が行われる第１冷却状態の開始時に加算され、光源１１が消灯されたとき、即ち第１冷却状態の終了時に減算される。第１カウンター前回値記憶部２０ｂは、第１カウンター２０ａの値を記憶し、次回電源オン時にその時点の第１カウンター２０ａの値と比較される。第２カウンター２０ｃは、クールダウン状態である第２冷却状態の開始時に加算され、第２冷却状態の終了時に減算される。第２カウンター前回値記憶部２０ｄは、第２カウンター２０ｃの値を記憶し、次回電源オン時および電源オフ時にその時点の第２カウンター２０ｃの値と比較される。
【００３５】
第１カウンター２０ａの初期値は０である。第１カウンター前回値記憶部２０ｂの初期値は１である。第２カウンター２０ｃの初期値は０である。第２カウンター前回値記憶部２０ｄの初期値は０である。ここで、初期値とは、プロジェクター１の出荷時の値を示す。
【００３６】
操作受付部２１は、ユーザーからの入力操作を受け付けるものであり、ユーザーがプロジェクター１に対して各種指示を行うための複数の操作キーを備えている。操作受付部２１が備える操作キーとしては、電源のオン・オフを切り替えるための電源キー、入力端子３１ａを切り替えるための入力切替キー、各種設定を行うためのメニュー画面の表示・非表示を切り替えるメニューキー、メニュー画面におけるカーソルの移動等に用いられるカーソルキー、各種設定を決定するための決定キー等がある。ユーザーが操作受付部２１の各種操作キーを操作（押下）すると、操作受付部２１は、この入力操作を受け付けて、ユーザーの操作内容に応じた操作信号を制御部２０に出力する。なお、操作受付部２１として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部２０に伝達する。
【００３７】
温度センサー２２は、サーミスター等で構成され、筐体２の内部の温度を検出し、検出結果を冷却制御部２３に出力する。この温度センサー２２は、光源１１、液晶ライトバルブ１２Ｒ，１２Ｇ，１２Ｂ、電源回路２６等のように、熱を発する部位や熱によるダメージを受けやすい部位に配置される。また、筐体２の内部の温度を直接検出する代わりに、排気口３ｂから排出される空気の温度を検出すること等により、筐体２の内部の温度を間接的に検出するようにしてもよい。
【００３８】
冷却制御部２３は、制御部２０の指示に基づいて、冷却ファン２４の回転の始動、およびその停止を制御するとともに、制御部２０の指示と温度センサー２２の検出結果とに基づいて冷却ファン２４の回転数（回転速度）を制御する。また、冷却制御部２３は、制御部２０の指示に基づいて、第１冷却状態と第２冷却状態とを切り替える。本実施形態の冷却制御部２３は、冷却ファン２４の回転速度を複数段階に切り替え可能になっている。そして、冷却制御部２３は、筐体２の内部温度が高温であるほど、冷却ファン２４の回転速度を増大させて温度上昇を抑制し、内部温度が低い場合には、ファンの回転に伴う騒音と電力消費とを抑制すべく冷却ファン２４の回転速度を低下させる。
【００３９】
冷却ファン２４は、冷却部に相当するものであり、例えば、軸流ファンやシロッコファン等によって構成される。冷却ファン２４は、冷却制御部２３の制御に基づいて回転することにより、吸気口３ａから外部の空気を吸入して、筐体２の内部（特に、画像投写部１０や電源回路２６等）を冷却し、冷却後の空気を排気口３ｂから排出する。なお、冷却ファン２４は、複数のファンによって構成されてもよく、例えば、吸気口３ａの近傍に配置されるファン（吸気ファン）と、排気口３ｂの近傍に配置されるファン（排気ファン）とを含んで構成されてもよい。
【００４０】
光源制御部２５は、電源回路２６で生成された直流電流を交流矩形波電流に変換するインバーター（図示せず）や、光源ランプ１１ａの電極間の絶縁破壊を行って、光源ランプ１１ａの始動を促すためのイグナイター（図示せず）等を備えており、制御部２０の指示に基づいて光源１１の点灯を制御する。具体的には、光源制御部２５は、光源１１を始動させて所定の電力を供給することにより光源１１を点灯させるとともに、電力の供給を停止して光源１１を消灯させることができる。また、光源制御部２５は、制御部２０の指示に基づいて光源１１に供給する電力を制御することにより、光源１１の輝度（明るさ）を調整することが可能である。
【００４１】
電源回路２６には、電源端子２７を介してＡＣ１００Ｖ等の商用電源（外部電源）が外部から供給される。電源回路２６は、商用電源（交流電源）を所定の電圧の直流電源に変換し、光源制御部２５を始めとするプロジェクター１の各部に電力を供給する。また、電源回路２６は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４２】
画像情報入力部３１には、パーソナルコンピューターやビデオ再生装置、メモリーカード、ＵＳＢストレージ、デジタルカメラ等、外部の画像供給装置（図示せず）とケーブルを介した接続を行うための各種の入力端子３１ａ（図２参照）が備えられており、画像供給装置から画像情報（画像信号）が入力される。画像情報入力部３１は、入力される画像情報を、画像処理部３２で処理可能な形式の画像情報に変換して、画像処理部３２に出力する。
【００４３】
画像処理部３２は、画像情報入力部３１から入力される画像情報を、液晶ライトバルブ１２Ｒ，１２Ｇ，１２Ｂの各画素の階調を表す画像データに変換する。ここで、変換された画像データは、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部３２は、制御部２０の指示に基づき、変換した画像データに対して、明るさ、コントラスト、シャープネス、色合い等を調整するための画質調整処理等を行い、処理後の画像データをＯＳＤ処理部３３に出力する。
【００４４】
ＯＳＤ処理部３３は、制御部２０の指示に基づいて、入力画像上にメニュー画像やメッセージ画像等のＯＳＤ（オンスクリーンディスプレー）画像を重畳するための処理を行う。ＯＳＤ処理部３３は、ＯＳＤメモリー３３ａを備えており、ＯＳＤ画像を形成するための図形やフォント等を表す画像データを記憶している。本実施形態では、ＯＳＤメモリー３３ａは、後述する第１の警告画面、第２の警告画面、および第３の警告画面の画像データを記憶している。さらに、後述する電源遮断回数表示画面の画像データを記憶している。
【００４５】
制御部２０が、ＯＳＤ画像の重畳を指示すると、ＯＳＤ処理部３３は、必要な画像データをＯＳＤメモリー３３ａから読み出して、指定されたＯＳＤ画像を形成するためのＯＳＤ画像データを生成する。そして、入力画像上の所定の位置にＯＳＤ画像が重畳されるように、画像処理部３２から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３３は、画像処理部３２から入力される画像データを、そのままライトバルブ駆動部１４に出力する。
【００４６】
ライトバルブ駆動部１４が、ＯＳＤ処理部３３から入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３から投写される。
【００４７】
次に、プロジェクター１の動作について説明する。
電源端子２７に電源ケーブル（図示せず）の一端が接続され、この電源ケーブルの他端に備わる電源プラグがコンセントに挿し込まれると、電源回路２６に商用電源から電力が供給される。商用電源から電力が供給されると、電源回路２６は、少なくとも制御部２０、操作受付部２１に電力（スタンバイ電力）の供給を行い、制御部２０は、この電力供給を受けて、制御プログラムに従った動作を開始する。商用電源から電力が供給された直後には、プロジェクター１は、スタンバイ状態（「電源オフ状態」ともいう。）であり、制御部２０は、操作受付部２１の電源キーに対する操作を監視する。そして、電源キーがユーザーにより操作されると、制御部２０は、電源回路２６に指示をして、各部への動作電力の供給を開始させ、プロジェクター１を電源オン状態に移行させる。
【００４８】
次に、プロジェクター１が電源オン状態に移行する際の処理について説明する。
図４は、プロジェクター１が電源オン状態に移行する際の処理のフローチャートである。
【００４９】
電源キーによる電源オン操作がなされると、制御部２０は、光源制御部２５に指示を出して、光源１１を点灯させる（ステップＳ１０１）。次に、制御部２０は、冷却制御部２３に指示を出して、冷却ファン２４による冷却（第１冷却状態）を開始させる（ステップＳ１０２）。そして、制御部２０は、第１カウンター２０ａに１を加算する（ステップＳ１０３）。次に、制御部２０は、第１カウンター２０ａの値が第１カウンター前回値記憶部２０ｂに記憶されている第１カウンター前回値より大きいか否かを判断する（ステップＳ１０４）。このときの制御部２０が、第１の判断部に相当する。第１カウンター２０ａの値が第１カウンター前回値より大きい場合（ステップＳ１０４：ＹＥＳ）、制御部２０は、ＯＳＤ処理部３３に指示を出して、後述する第１の警告画面を投写する（ステップＳ１０５）。そしてステップＳ１０６に移行する。第１カウンター２０ａの値が第１カウンター前回値より大きくない場合（ステップＳ１０４：ＮＯ）、制御部２０は、ステップＳ１０５を実行せずに、ステップＳ１０６に移行する。
【００５０】
ステップＳ１０６では、制御部２０は、第２カウンター２０ｃの値が第２カウンター前回値記憶部２０ｄに記憶されている第２カウンター前回値より大きいか否かを判断する（ステップＳ１０６）。このときの制御部２０が、第２の判断部に相当する。第２カウンター２０ｃの値が第２カウンター前回値より大きい場合（ステップＳ１０６：ＹＥＳ）、制御部２０は、ＯＳＤ処理部３３に指示を出して、後述する第２の警告画面を投写する（ステップＳ１０７）。そしてステップＳ１０８に移行する。第２カウンター２０ｃの値が第２カウンター前回値より大きくない場合（ステップＳ１０６：ＮＯ）、制御部２０は、ステップＳ１０７を実行せずに、ステップＳ１０８に移行する。ここで、ステップＳ１０４〜ステップＳ１０７までの処理を行う制御部２０が、警告投写制御部に相当する。
【００５１】
ステップＳ１０８では、制御部２０は、第１カウンター２０ａの値を第１カウンター前回値記憶部２０ｂに記憶させる（ステップＳ１０８）。そして、プロジェクター１が電源オン状態に移行する際の処理を終了する。
【００５２】
ここで、第１の警告画面および第２の警告画面について説明する。
図５は、第１の警告画面および第２の警告画面の説明図であり、図５（ａ）は、第１の警告画面の説明図であり、図５（ｂ）は、第２の警告画面の説明図である。
【００５３】
図５（ａ）に示すように、第１の警告画面Ｍ１には、ＯＳＤ画像として「前回光源点灯中にＡＣ電源が遮断されています。」の文字列が表示される。図５（ｂ）に示すように、第２の警告画面Ｍ２には、ＯＳＤ画像として「前回クールダウンが終了する前にＡＣ電源が遮断されています。」の文字列が表示される。
【００５４】
上述したように、プロジェクター１は電源オン操作がなされると、第１カウンター２０ａの値が第１カウンター前回値より大きい場合には、前回の光源１１の点灯中、即ち第１冷却状態において、ＡＣ電源（商用電源）からの電力が遮断されたと判断し、その旨をユーザーに報知する。また、第２カウンター２０ｃの値が第２カウンター前回値より大きい場合には、前回のクールダウン中、即ち第２冷却状態において、ＡＣ電源（商用電源）からの電力が遮断されたと判断し、その旨をユーザーに報知する。
【００５５】
次に、プロジェクター１の電源オフ操作がなされた際の処理について説明する。
図６は、プロジェクター１の電源オフ操作がなされた際の処理のフローチャートである。
【００５６】
電源キーによる電源オフ操作がなされると、制御部２０は、第２カウンター２０ｃの値が第２カウンター前回値記憶部２０ｄに記憶されている第２カウンター前回値より大きいか否かを判断する（ステップＳ２０１）。このときの制御部２０が、第２の判断部に相当する。第２カウンター２０ｃの値が第２カウンター前回値より大きい場合（ステップＳ２０１：ＹＥＳ）、制御部２０は、ＯＳＤ処理部３３に指示を出して、後述する第３の警告画面を投写する（ステップＳ２０２）。そして、電源キーが押下されると、ステップＳ２０３に移行する。第２カウンター２０ｃの値が第２カウンター前回値より大きくない場合（ステップＳ２０１：ＮＯ）、制御部２０は、ステップＳ２０２を実行せずに、ステップＳ２０３に移行する。ここでは、ステップＳ２０１〜ステップＳ２０２までの処理を行う制御部２０が、警告投写制御部に相当する。
【００５７】
ステップＳ２０３では、制御部２０は、第２カウンター２０ｃの値を第２カウンター前回値記憶部２０ｄに記憶させる（ステップＳ２０３）。次に、制御部２０は、光源制御部２５に指示を出して、光源１１を消灯させる（ステップＳ２０４）。そして、制御部２０は、第１カウンター２０ａから１を減算する（ステップＳ２０５）。そして、制御部２０は、冷却制御部２３に指示を出して、第１冷却状態を終了させ、クールダウン（第２冷却状態）を開始させる（ステップＳ２０６）。なお、本実施形態では、制御部２０に図示しないタイマーを備えて、クールダウンを行う所定の時間（例えば３０秒）を計時するものとする。
【００５８】
制御部２０は、第２カウンター２０ｃに１を加算する（ステップＳ２０７）。そして、制御部２０は、タイマーを監視してクールダウンが終了したか否か、即ち所定の時間が経過したか否かを判断する（ステップＳ２０８）。クールダウンが終了していなければ（ステップＳ２０８：ＮＯ）、制御部２０は、終了するのを待ち続ける。クールダウンが終了すれば（ステップＳ２０８：ＹＥＳ）、第２カウンター２０ｃから１を減算する（ステップＳ２０９）。そして、プロジェクター１の電源オフ操作がなされた際の処理を終了し、スタンバイ状態に移行する。
【００５９】
ここで、第３の警告画面について説明する。
図７は、第３の警告画面の説明図である。
【００６０】
図７に示すように、第３の警告画面Ｍ３の上部には、ＯＳＤ画像として「電源ＯＦＦしますか？ＯＦＦ：電源ボタンを押す」の文字列が表示される。また、第３の警告画面Ｍ３の中央には、ＯＳＤ画像として「前回クールダウンが終了する前にＡＣ電源が遮断されています。クールダウンが終了するまで遮断しないでください。」の文字列が表示される。
【００６１】
上述したように、プロジェクター１は、電源オフ操作がなされると、第２カウンター２０ｃの値が第２カウンター前回値より大きければ、前回のクールダウン中（第２冷却状態）において電力が遮断されたと判断し、ユーザーに対して、クールダウンが終了するまでＡＣ電源（商用電源）からの電力を遮断しないように促す。
【００６２】
また、上述したように制御部２０が処理を行うことで、第１カウンター２０ａには、光源１１の点灯中にＡＣ電源（商用電源）からの電力が遮断された回数が記憶される。第２カウンター２０ｃには、クールダウン中にＡＣ電源（商用電源）からの電力が遮断された回数が記憶される。本実施形態のプロジェクター１は、操作受付部２１が所定の操作を受け付けると、これらの回数を電源遮断回数表示画面として表示（投写）する。なお、所定の操作とは、例えば、メニュー画面を表示させて、そのメニュー画面のうちの所定の項目を選択する操作を示す。
【００６３】
ここで、電源遮断回数表示画面について説明する。
図８は、電源遮断回数表示画面の説明図である。
【００６４】
図８に示すように、電源遮断回数表示画面Ｍ４には、ＯＳＤ画像として「ランプ点灯中のＡＣ電源遮断」の文字列と、その下方に、第１カウンター２０ａの値に基づいた「回数」が表示される。本実施形態では、「２回」としている。さらに下方には、ＯＳＤ画像として「クールダウン中のＡＣ電源遮断」の文字列と、その下方に、第２カウンター２０ｃの値に基づいた「回数」が表示される。本実施形態では、「３回」としている。
【００６５】
上述した第１の実施形態によれば、以下の効果が得られる。
（１）プロジェクター１は、第１カウンター２０ａと、第１カウンター前回値とを比較することで、光源１１が点灯している状態、即ち第１冷却状態において商用電源からの電力が遮断されたか否かを判断することができる。また、第２カウンター２０ｃと、第２カウンター前回値とを比較することで、クールダウンしている状態、即ち第２冷却状態において商用電源からの電力が遮断されたか否かを判断することができる。そして、電力が遮断されていた場合には、プロジェクター１は、それぞれに対応した警告画面の投写を行い、ユーザーに報知することができる。これにより、ユーザーは、プロジェクター１の操作方法の誤りを認識することができ、操作方法を改善することが可能となる。また、プロジェクター１を用いてＡＶシステム等を構築している場合には、そのＡＶシステムの制御方法や電源管理方法を改善することが可能となる。
【００６６】
（２）プロジェクター１は、第１カウンター２０ａおよび第２カウンター２０ｃによって、電力が遮断された回数を計数することができる。そして、その回数を電源遮断回数表示画面Ｍ４として投写することができる。これにより、ユーザー（特に、プロジェクターをメンテナンスしたり修理したりする使用者）が、当該プロジェクター１の電力の遮断の状況を認識することが可能になるため、有益である。
【００６７】
（３）プロジェクター１は、電源オン操作を受け付けた際に、前回、光源１１が点灯している状態において商用電源からの電力が遮断されたか否かの判断、および、前回、クールダウンしている状態において商用電源からの電力が遮断されたか否かの判断を行う。そして、いずれかの状態において電力が遮断されていれば、対応した警告画面を投写する。これにより、ユーザーは、前回、光源１１の点灯中またはクールダウン中に電力の遮断を行ったことを、電源オン操作時に認識することができるため有益である。
【００６８】
（４）プロジェクター１は、電源オフ操作を受け付けた際に、前回、クールダウンしている状態において商用電源からの電力が遮断されたか否かの判断を行う。そして、商用電源からの電力が遮断されていれば、第３の警告画面Ｍ３を投写させる。これにより、ユーザーは、前回、クールダウン状態において電力が遮断されたことを、電源オフ操作時に認識することができる。さらに、第３の警告画面Ｍ３では、クールダウンが終了するまではＡＣ電源（商用電源）を遮断しないように促すため、ユーザーは、クールダウン中に電力の遮断を行うべきではないことを認識することが可能になり、有益である。
【００６９】
（第２の実施形態）
第２の実施形態では、商用電源（外部電源）からの電力が遮断されたことを、第１フラグと第２フラグを用いて判断するプロジェクターについて説明する。
【００７０】
第２の実施形態のプロジェクターの外観は、第１の実施形態の図１および図２と同様である。よって説明は省略する。
【００７１】
次に、第２の実施形態に係るプロジェクターの回路構成について説明する。
図９は、第２の実施形態に係るプロジェクター１００の回路構成を示すブロック図である。
図９に示すように、プロジェクター１００の回路構成と、第１の実施形態のプロジェクター１の回路構成との相違点は、制御部のみである。以降、相違点について説明する。
【００７２】
プロジェクター１００の制御部２０ｓは、プロジェクター１の制御部２０が備えていた第１カウンター２０ａ、第１カウンター前回値記憶部２０ｂ、第２カウンター２０ｃ、および第２カウンター前回値記憶部２０ｄの代わりに、第１フラグ設定部２０ｅ、第３カウンター２０ｆ、第２フラグ設定部２０ｇ、および第４カウンター２０ｈを備えている。第１フラグ設定部２０ｅ、第３カウンター２０ｆ、第２フラグ設定部２０ｇ、および第４カウンター２０ｈは、書き込み可能な不揮発性のメモリーによって構成されている。
【００７３】
第１フラグ設定部２０ｅには、第１フラグが設定されている。第１フラグは、光源１１が点灯している状態、即ち筐体２内部の冷却が行われる第１冷却状態の開始時にセットされ、第１冷却状態の終了時にクリアされる。第２フラグ設定部２０ｇには、第２フラグが設定されている。第２フラグは、クールダウン状態である第２冷却状態の開始時にセットされ、第２冷却状態の終了時にクリアされる。第３カウンター２０ｆは、第１フラグがクリアされなかった場合に１を加算する。第４カウンター２０ｈは、第２フラグがクリアされなかった場合に１を加算する。
【００７４】
第１フラグの初期値は０（クリア）である。第３カウンター２０ｆの初期値は０である。第２フラグの初期値は０（クリア）である。第４カウンター２０ｈの初期値は０である。ここで、初期値とは、プロジェクター１００の出荷時の値を示す。
【００７５】
次に、プロジェクター１００が電源オン状態に移行する際の処理について説明する。
図１０は、プロジェクター１００が電源オン状態に移行する際の処理のフローチャートである。
【００７６】
電源キーによる電源オン操作がなされると、制御部２０ｓは、光源制御部２５に指示を出して、光源１１を点灯させる（ステップＳ３０１）。制御部２０ｓは、冷却制御部２３に指示を出して、冷却ファン２４による冷却（第１冷却状態）を開始させる（ステップＳ３０２）。次に、制御部２０ｓは、第１フラグがセットされているか否かを判断する（ステップＳ３０３）。このときの制御部２０ｓが、第１の判断部に相当する。第１フラグがセットされている場合（ステップＳ３０３：ＹＥＳ）、制御部２０ｓは、ＯＳＤ処理部３３に指示を出して、第１の警告画面Ｍ１（図５参照）を投写する（ステップＳ３０４）。そして、第３カウンター２０ｆに１を加算する（ステップＳ３０５）。そして、ステップＳ３０６に移行する。第１フラグがセットされていない場合（即ち、クリアされている場合）（ステップＳ３０３：ＮＯ）、制御部２０ｓは、ステップＳ３０４、およびステップＳ３０５を実行せずに、ステップＳ３０６に移行する。
【００７７】
ステップＳ３０６では、制御部２０ｓは、第１フラグをセットする（ステップＳ３０６）。そして、制御部２０ｓは第２フラグがセットされているか否かを判断する（ステップＳ３０７）。このときの制御部２０ｓが、第２の判断部に相当する。第２フラグがセットされていれば（ステップＳ３０７：ＹＥＳ）、制御部２０ｓは、ＯＳＤ処理部３３に指示を出して、第２の警告画面Ｍ２（図５参照）を投写する（ステップＳ３０８）。そして、制御部２０ｓは、第４カウンター２０ｈに１を加算する（ステップＳ３０９）。そして、プロジェクター１００が電源オン状態に移行する際の処理を終了する。
【００７８】
第２フラグがセットされていない場合（即ち、クリアされている場合）（ステップＳ３０７：ＮＯ）、制御部２０ｓは、ステップＳ３０８、およびステップＳ３０９を実行せずに、プロジェクター１００が電源オン状態に移行する際の処理を終了する。ここで、ステップＳ３０３〜ステップＳ３０９までの処理を行う制御部２０ｓが、警告投写制御部に相当する。
【００７９】
上述したように、プロジェクター１００は、電源オン操作がなされると、第１フラグがセットされている場合には、前回の光源１１の点灯中にＡＣ電源（商用電源）からの電力が遮断されたと判断して、その旨をユーザーに報知する。また、第２フラグがセットされている場合には、前回のクールダウン中にＡＣ電源（商用電源）からの電力が遮断されたと判断して、その旨をユーザーに報知する。
【００８０】
次に、プロジェクター１００の電源オフ操作がなされた際の処理について説明する。
図１１は、プロジェクター１００の電源オフ操作がなされた際の処理のフローチャートである。
【００８１】
電源キーによる電源オフ操作がなされると、制御部２０ｓは、第２フラグがセットされているか否かを判断する（ステップＳ４０１）。このときの制御部２０ｓが、第２の判断部に相当する。第２フラグがセットされている場合（ステップＳ４０１：ＹＥＳ）、制御部２０ｓは、ＯＳＤ処理部３３に指示を出して、第３の警告画面Ｍ３（図７参照）を投写する（ステップＳ４０２）。そして、電源キー（電源ボタン）が押下されると、ステップＳ４０３に移行する。第２フラグがセットされていない場合（即ち、クリアされている場合）（ステップＳ４０１：ＮＯ）、制御部２０ｓは、ステップＳ４０２を実行せずに、ステップＳ４０３に移行する。ここでは、ステップＳ４０１〜ステップＳ４０２までの処理を行う制御部２０ｓが、警告投写制御部に相当する。
【００８２】
ステップＳ４０３では、制御部２０ｓは、光源制御部２５に指示を出して、光源１１を消灯させる（ステップＳ４０３）。次に、制御部２０ｓは、第１フラグをクリアする（ステップＳ４０４）。そして、制御部２０ｓは、冷却制御部２３に指示を出して、第１冷却状態を終了させ、クールダウン（第２冷却状態）を開始させる（ステップＳ４０５）。そして、制御部２０ｓは、第２フラグをセットする（ステップＳ４０６）。
【００８３】
制御部２０ｓは、タイマーを監視してクールダウンが終了したか否かを判断する（ステップＳ４０７）。クールダウンが終了していなければ（ステップＳ４０７：ＮＯ）、制御部２０ｓは、終了するのを待ち続ける。クールダウンが終了すれば（ステップＳ４０７：ＹＥＳ）、第２フラグをクリアする（ステップＳ４０８）。そして、プロジェクター１００の電源オフ操作がなされた際の処理を終了し、スタンバイ状態に移行する。
【００８４】
上述したように、プロジェクター１００は、電源オフ操作がなされると、第２フラグがセットされていれば、前回のクールダウン中にＡＣ電源（商用電源）からの電力が遮断されたと判断して、ユーザーに対して、クールダウンが終了するまでＡＣ電源（商用電源）を遮断しないように促す。
【００８５】
また、上述したように制御部２０ｓが処理を行うことで、第３カウンター２０ｆには、光源１１の点灯中にＡＣ電源（商用電源）からの電力が遮断された回数が記憶される。第４カウンター２０ｈには、クールダウン中にＡＣ電源（商用電源）からの電力が遮断された回数が記憶される。本実施形態のプロジェクター１００は、第１の実施形態のプロジェクター１と同様に、操作受付部２１が所定の操作を受け付けると、これらの回数を電源遮断回数表示画面Ｍ４として表示（投写）する。
【００８６】
上述した第２の実施形態によれば、第１の実施形態の効果（３）および（４）と同様の効果を奏することができる。他に以下の効果が得られる。
（１）プロジェクター１００は、第１フラグの状態を判断することで、光源１１が点灯している状態、即ち第１冷却状態において商用電源からの電力が遮断されたか否かを判断することができる。また、第２フラグの状態を判断することで、クールダウンしている状態、即ち第２冷却状態において商用電源からの電力が遮断されたか否かを判断することができる。そして、電力が遮断されていた場合には、プロジェクター１００は、それぞれに対応した警告画面の投写を行い、ユーザーに報知することができる。これにより、ユーザーは、プロジェクター１００の操作方法の誤りを認識することができ、操作方法を改善することが可能となる。また、プロジェクター１００を用いてＡＶシステム等を構築している場合には、そのＡＶシステムの制御方法や電源管理方法を改善することが可能となる。
【００８７】
（２）プロジェクター１００は、第３カウンター２０ｆおよび第４カウンター２０ｈによって、電力が遮断された回数を計数することができる。そして、その回数を電源遮断回数表示画面Ｍ４として表示することができる。これにより、ユーザー（特に、プロジェクターをメンテナンスしたり修理したりする使用者）が、当該プロジェクター１００の電力の遮断の状況を認識することが可能になるため、有益である。
【００８８】
なお、上述した実施形態に限定されず、種々の変更や改良等を加えて実施することが可能である。変形例を以下に述べる。
【００８９】
（変形例１）上記実施形態では、電源オン操作や電源オフ操作、およびその他のキー操作は、操作受付部２１に備わる電源キーによって行われるものとしたが、プロジェクター１（１００）に通信部（図示せず）を備え、外部の電子機器（図示せず）から通信によって電源オン操作信号や電源オフ操作信号、およびその他のキー操作信号を受信してもよい。
【００９０】
（変形例２）上記実施形態では、光源１１は、放電型の光源ランプ１１ａによって構成されているが、ＬＥＤ（Light Emitting Diode）光源やレーザー等の固体光源や、その他の光源を用いることもできる。
【００９１】
（変形例３）上記実施形態では、プロジェクター１（１００）は、クールダウンを所定の時間（例えば３０秒）行うものとしたが、これに限定するものではない。例えば、クールダウン中に温度センサー２２によって筐体２の内部の温度を検出し、所定の温度になったらクールダウンを終了させてもよい。
【００９２】
（変形例４）上記実施形態では、プロジェクター１（１００）を例にして説明しているが、光源１１が点灯しているときに筐体２内部の冷却を行い、光源１１が消灯した後に冷却を暫時継続させる機能を備えた画像表示装置であれば適用することが可能である。例えば、透過型のスクリーンを一体的に備えたリアプロジェクター等に適用することも可能である。
【００９３】
（変形例５）上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００９４】
１，１００…プロジェクター、２…筐体、３ａ…吸気口、３ｂ…排気口、１０…画像投写部、１１…光源、１１ａ…光源ランプ、１１ｂ…リフレクター、１２Ｒ，１２Ｇ，１２Ｂ…液晶ライトバルブ、１３…投写レンズ、１４…ライトバルブ駆動部、２０，２０ｓ…制御部、２０ａ…第１カウンター、２０ｂ…第１カウンター前回値記憶部、２０ｃ…第２カウンター、２０ｄ…第２カウンター前回値記憶部、２０ｅ…第１フラグ設定部、２０ｆ…第３カウンター、２０ｇ…第２フラグ設定部、２０ｈ…第４カウンター、２１…操作受付部、２２…温度センサー、２３…冷却制御部、２４…冷却ファン、２５…光源制御部、２６…電源回路、２７…電源端子、３１…画像情報入力部、３１ａ…入力端子、３２…画像処理部、３３…ＯＳＤ処理部、３３ａ…ＯＳＤメモリー。
【図１】
2012042846.tif 000003
【図２】
2012042846.tif 000004
【図３】
2012042846.tif 000005
【図４】
2012042846.tif 000006
【図５】
2012042846.tif 000007
【図６】
2012042846.tif 000008
【図７】
2012042846.tif 000009
【図８】
2012042846.tif 000010
【図９】
2012042846.tif 000011
【図１０】
2012042846.tif 000012
【図１１】
2012042846.tif 000013